(57)【要約】  ランダムアクセスのための方法および装置。基地局で実施されるランダムアクセスのための方法は、ランダムアクセスをトリガするための第１のメッセージであって、ランダムアクセスのための２つの候補ＵＬ搬送波のうちの第１のＵＬ搬送波を指示する第１のメッセージを、端末装置に送信すること（２１０）と、端末装置からランダムアクセス要求を受信すること（２１５）と、を含むことができる。２つの候補ＵＬ搬送波は、通常のアップリンク搬送波および補助アップリンク搬送波を含む。【選択図】図２
2021503755.tif 000002
【特許請求の範囲】
【請求項１】
基地局における方法であって、
ランダムアクセス手順をトリガするための第１のメッセージを端末装置に送信することであって、前記第１のメッセージが、前記ランダムアクセス手順のための第１のアップリンク（ＵＬ）搬送波を指示し、前記第１のＵＬ搬送波が、前記基地局によってサービングされるセルに関して前記端末装置に設定された少なくとも２つの候補ＵＬ搬送波のうちの１つであり、前記少なくとも２つの候補ＵＬ搬送波が、通常のＵＬ搬送波および補助ＵＬ搬送波を含む、第１のメッセージを送信することと、
前記第１のＵＬ搬送波上で前記端末装置からランダムアクセス要求を受信することと、
を含む方法。
【請求項２】
前記第１のメッセージが、無線リソース制御（ＲＲＣ）メッセージ、物理ダウンリンク制御チャネル（ＰＤＣＣＨ）オーダ、およびＭＡＣ制御要素（ＣＥ）のうちの１つである、請求項１に記載の方法。
【請求項３】
前記第１のメッセージが、前記第１のＵＬ搬送波を指示するＵＬ搬送波インジケータを含む、請求項１または２に記載の方法。
【請求項４】
前記第１のメッセージが、前記ＵＬ搬送波インジケータを運ぶＵＬ搬送波インジケータフィールドを含むＰＤＣＣＨオーダであり、前記ＵＬ搬送波インジケータが、ＵＬ搬送波インデックスまたはプリアンブルインデックスである、請求項３に記載の方法。
【請求項５】
前記ＵＬ搬送波インジケータがプリアンブルインデックスである場合、前記方法が、
前記第１のメッセージを送信する前に、ＰＤＣＣＨオーダで使用されるプリアンブルインデックスと前記少なくとも２つの候補ＵＬ搬送波との間の第１のマッピングを前記端末装置に送信することを、さらに含む、請求項４に記載の方法。
【請求項６】
前記ＵＬ搬送波インジケータが、前記第１のメッセージでスクランブルされた無線ネットワーク一時識別子（ＲＮＴＩ）であり、
前記方法が、
前記第１のメッセージを送信する前に、ＲＮＴＩと前記少なくとも２つの候補ＵＬ搬送波との間の第４のマッピングを前記端末装置に送信することを、さらに含む、請求項３に記載の方法。
【請求項７】
前記方法が、ランダムアクセス手順をトリガするための第２のメッセージを前記端末装置に送信することを、さらに含み、前記第２のメッセージが、トリガされる前記ランダムアクセスのための第２のＵＬ搬送波を指示し、前記第２のＵＬ搬送波が、前記第１のＵＬ搬送波を除く前記少なくとも２つの候補ＵＬ搬送波のうちの１つである、請求項１から６のいずれか一項に記載の方法。
【請求項８】
前記第２のメッセージが、ＰＤＣＣＨオーダまたはＭＡＣ  ＣＥである、請求項７に記載の方法。
【請求項９】
端末装置における方法（３００）であって、
ランダムアクセス手順をトリガするための第１のメッセージを基地局から受信することであって、前記第１のメッセージが、前記ランダムアクセス手順のための第１のＵＬ搬送波を指示し、前記第１のＵＬ搬送波が、前記基地局によってサービングされるセルに関して前記端末装置に設定された少なくとも２つの候補ＵＬ搬送波のうちの１つであり、前記少なくとも２つの候補ＵＬ搬送波が、通常のＵＬ搬送波および補助ＵＬ搬送波を含む、第１のメッセージを受信することと、
前記第１のメッセージに基づいて前記第１のＵＬ搬送波を決定することと、
前記第１のＵＬ搬送波上で前記基地局にランダムアクセス要求を送信することと、
を含む方法（３００）。
【請求項１０】
前記第１のメッセージが、ＲＲＣメッセージ、ＰＤＣＣＨオーダ、およびＭＡＣ  ＣＥのうちの１つである、請求項９に記載の方法。
【請求項１１】
前記第１のメッセージが、前記第１のＵＬ搬送波を指示するＵＬ搬送波インジケータを含む、請求項８または９に記載の方法。
【請求項１２】
前記第１のメッセージが、前記ＵＬ搬送波インジケータを運ぶＵＬ搬送波インジケータフィールドを含むＰＤＣＣＨオーダであり、前記ＵＬ搬送波インジケータが、ＵＬ搬送波インデックスまたはプリアンブルインデックスであり、
前記第１のメッセージに基づいて前記第１のＵＬ搬送波を決定することが、
前記ＵＬ搬送波インジケータを取得することと、前記ＵＬ搬送波インジケータに従って前記ＵＬ搬送波を決定することと、を含む、請求項１１に記載の方法。
【請求項１３】
前記方法が、前記第１のメッセージを受信する前に、前記基地局から、ＰＤＣＣＨオーダで使用されるＵＬ搬送波インデックスまたはプリアンブルインデックスと前記少なくとも２つの候補ＵＬ搬送波との間の第１のマッピングを受信することを、さらに含む、請求項１２に記載の方法（３００）。
【請求項１４】
前記ＵＬ搬送波インジケータが、前記第１のメッセージでスクランブルされたＲＮＴＩであり、
前記第１のメッセージに基づいて前記第１のＵＬ搬送波を決定することが、
前記第１のメッセージをデスクランブルして、前記ＲＮＴＩを取得することと、
ＲＮＴＩと前記少なくとも２つの候補ＵＬ搬送波との間のマッピングに基づいて、前記ＲＮＴＩに対応する前記第１のＵＬ搬送波を決定することと、
を含む、請求項１１に記載の方法（３００）。
【請求項１５】
ランダムアクセス手順をトリガするための第２のメッセージであって、トリガされる前記ランダムアクセスのための第２のＵＬ搬送波を指示する第２のメッセージを、前記基地局から受信することと、
前記第１のＵＬ搬送波を除く前記少なくとも２つの候補ＵＬ搬送波のうちの１つである前記第２のＵＬ搬送波を、前記第２のメッセージに基づいて決定することと、
前記第２のＵＬ搬送波上で前記基地局にランダムアクセス要求を送信することと、
をさらに含む、請求項９から１４のいずれか一項に記載の方法。
【請求項１６】
基地局内の装置（５００）であって、
プロセッサ（５１１）、および
メモリ（５１２）を備え、前記メモリが、前記プロセッサによって実行可能な命令を含み、それによって、前記装置が、請求項１から８のいずれか一項に記載の方法を実行するように動作する、装置（５００）。
【請求項１７】
端末装置内の装置（６００）であって、
プロセッサ（６１１）、および
メモリ（６１２）を備え、前記メモリが、前記プロセッサによって実行可能な命令を含み、それによって、前記装置が、請求項９から１５のいずれか一項に記載の方法を実行するように動作する、装置（６００）。
【発明の詳細な説明】
【技術分野】
【０００１】
［０００１］本開示の非限定的かつ例示的な実施形態は、一般に、無線アクセス技術に関し、特に、ランダムアクセスのための方法、装置、およびコンピュータプログラムに関する。
【背景技術】
【０００２】
［０００２］このセクションは、本開示のより良い理解を容易にすることができる態様を紹介する。したがって、このセクションの記述は、この観点から読まれるべきであり、従来技術に何があるか、または従来技術に何がないかについての承認として理解されるべきではない。
【０００３】
［０００３］新無線（Ｎｅｗ  Ｒａｄｉｏ：ＮＲ）の初期展開にとって、アップリンク（ＵＰ）カバレッジが、低搬送波周波数の欠如に起因して問題となり得る。目下、低搬送波周波数帯は、２Ｇ、３Ｇ、および４Ｇシステムで既に使用されている。初期段階では、ＮＲは、３．５ＧＨｚなどのいくつかの未使用周波数帯を使用することになるであろう。しかし、２ＧＨｚより低い周波数帯のカバレッジと比較して、３．５ＧＨｚのカバレッジは、約５ｄＢ小さい。ダウンリンク（ＤＬ）カバレッジについては、これは、３．５ＧＨｚでのＮＲがロングタームエボリューション（ＬＴＥ）と同等のカバレッジを持つことができることを保証するために、ＮＲ  ＮｏｄｅＢ（ｇＮＢ）の電力を増加でき、また、ビームフォーミングも適用できるので、問題にならない。しかし、端末装置の電力は制限されており、端末装置は、良好なＵＬビームフォーミングアンテナを装備していない場合があるので、端末装置についてＵＬカバレッジの問題が存在する可能性がある。
【０００４】
［０００４］ＮＲがＬＴＥと同等のＵＬカバレッジを持つことができることを確実にするために、ＬＴＥ搬送波からいくらかのリソースを借りることが提案された。すなわち、ＬＴＥおよびＮＲに１つのＬＴＥ  ＵＬ搬送波を共用させることが可能である。第３世代パートナーシッププロジェクト（３ＧＰＰ）では、ＮＲで補助ＵＬ（ＳＵＬ）と呼ばれる、ＮＲシステムとＬＴＥシステム間の２ＧＨｚ未満などの周波数搬送波の共用が、議論中である。
【０００５】
［０００５］ＳＵＬの基本的な考え方は、現在ＬＴＥシステムで使用されている低周波における搬送波のいくらかの無線リソースが、ＮＲ  ＳＵＬ搬送波として構成され得るということである。そのＳＵＬ搬送波は、より低い周波数であるので、そのＳＵＬ搬送波の伝搬損失は、通常のＮＲ  ＵＬ搬送波の伝搬損失よりも小さく、したがって、ＮＲセルのＵＬカバレッジは、増加し得る。図１は、ＮＲセルのＳＵＬおよび通常のＵＬのカバレッジを示す。影のエリア１０１は、ＳＵＬおよび通常のＵＬの両方でカバーされる。リング状エリア１０２は、ＳＵＬのみでカバーされる。ＬＴＥ  ＵＬ搬送波（すなわち、ＳＵＬ）を使用することによって、ＮＲセルのＵＬカバレッジが増加することは明らかである。エリア１０１内の端末装置にとっては、ＵＬデータ送信のためにＳＵＬまたは通常のＵＬのいずれかを使用することを選択することができる。エリア１０２内の端末装置にとっては、データ通信のためにＳＵＬを使用することができる。
【発明の概要】
【０００６】
［０００６］本開示の様々な実施形態は、主に、ランダムアクセスのための方法、装置、およびコンピュータプログラムを提供することを目的とする。本開示の実施形態の他の特徴および利点もまた、本開示の実施形態の原理を例示的に示す添付の図面と併せて読まれるとき、具体的な実施形態についての以下の説明から理解されるであろう。
【０００７】
［０００７］本開示の第１の態様によれば、基地局において実施される方法が提供される。この方法は、ランダムアクセスをトリガするための第１のメッセージを端末装置に送信することであって、第１のメッセージは、ランダムアクセスのための少なくとも２つの候補ＵＬ搬送波のうちの第１のアップリンク（ＵＬ）搬送波を指示する、送信することと、第１のＵＬ搬送波上で端末装置からランダムアクセス要求を受信することと、を含むことができる。少なくとも２つの候補ＵＬ搬送波は、基地局によってサービングされるセルに関して端末装置に設定されており、少なくとも２つの候補ＵＬ搬送波は、通常のＵＬ搬送波および補助ＵＬ搬送波を含む。
【０００８】
［０００８］いくつかの実施形態では、第１のメッセージは、無線リソース制御（ＲＲＣ）メッセージ、物理ダウンリンク制御チャネル（ＰＤＣＣＨ）オーダおよびＭＡＣ制御要素（ＣＥ）のうちの１つであってもよく、第２のメッセージは、ＰＤＣＣＨオーダおよびＭＡＣ  ＣＥのうちの１つである。
【０００９】
［０００９］いくつかの実施形態では、第１のメッセージは、第１のＵＬ搬送波を指示するＵＬ搬送波インジケータを含んでもよい。
【００１０】
［００１０］いくつかの実施形態では、第１のＵＬ搬送波は、第１のメッセージ内のＵＬ搬送波インジケータによって指示されてもよい。
【００１１】
［００１１］いくつかの実施形態では、第１のＵＬ搬送波は、第１のメッセージ内のプリアンブルインデックスによって指示されてもよい。
【００１２】
［００１２］いくつかの実施形態では、この方法は、ＰＤＣＣＨオーダまたはＭＡＣ  ＣＥで使用されるプリアンブルインデックスと、少なくとも２つの候補ＵＬ搬送波との間の第１のマッピングを端末装置に送信することを、さらに含んでもよい。
【００１３】
［００１３］本開示の第２の態様によれば、端末装置において実施される方法が提供される。この方法は、ランダムアクセスをトリガするための第１のメッセージを基地局から受信することであって、第１のメッセージは、ランダムアクセスのための少なくとも２つの候補ＵＬ搬送波のうちの第１のＵＬ搬送波を指示する、受信することと、第１のメッセージに基づいて第１のＵＬ搬送波を決定することと、第１のＵＬ搬送波上で基地局にランダムアクセス要求を送信することと、を含むことができる。
【００１４】
［００１４］いくつかの実施形態では、第１のメッセージは、ＲＲＣメッセージ、ＰＤＣＣＨオーダおよびＭＡＣ  ＣＥのうちの１つであってもよく、第２のメッセージは、ＰＤＣＣＨオーダおよびＭＡＣ  ＣＥのうちの１つである。
【００１５】
［００１５］いくつかの実施形態では、第１のメッセージは、第１のＵＬ搬送波を指示するＵＬ搬送波インジケータを含んでもよい。
【００１６】
［００１６］いくつかの実施形態では、ＵＬ搬送波インジケータは、ＵＬ搬送波インデックスまたはプリアンブルインデックスである。
【００１７】
［００１７］本開示の第３の態様によれば、基地局内の装置が提供される。この装置は、プロセッサおよびメモリを備えることができる。メモリは、プロセッサによって実行可能な命令を含むことができ、それによって、装置は、本開示の第１の態様によるランダムアクセスのための方法を実行するように動作する。
【００１８】
［００１８］本開示の第４の態様によれば、端末装置内の装置が提供される。この装置は、プロセッサおよびメモリを備えることができる。メモリは、プロセッサによって実行可能な命令を含むことができ、それによって、装置は、本開示の第２の態様によるランダムアクセスのための方法を実行するように動作する。
【００１９】
［００１９］本開示の第５の態様によれば、基地局内の装置が提供される。この装置は、ランダムアクセスをトリガするための第１のメッセージであって、ランダムアクセスのための２つの候補ＵＬ搬送波のうちの第１のＵＬ搬送波を指示する第１のメッセージを、端末装置に送信し、ランダムアクセスをトリガするための第２のメッセージを端末装置に送信するように構成された送信ユニットと、第１のＵＬ搬送波上の端末装置からのランダムアクセス要求に応答し、２つの候補ＵＬ搬送波のうちの第２のＵＬ搬送波上の端末装置からのランダムアクセス要求に応答するように構成された応答ユニットとを備える。
【００２０】
［００２０］本開示の第６の態様によれば、端末装置内の装置が提供される。この装置は、ランダムアクセスをトリガするための第１のメッセージであって、ランダムアクセスのための２つの候補ＵＬ搬送波のうちの第１のＵＬ搬送波を指示する第１のメッセージを、基地局から受信し、ランダムアクセスをトリガするための第２のメッセージを基地局から受信するように構成された受信ユニットと、第１のメッセージに基づいて第１のＵＬ搬送波を決定するように構成された搬送波決定ユニットと、基地局への第１のＵＬ搬送波上でランダムアクセス手順を開始し、基地局との２つの候補ＵＬ搬送波のうちの第２のＵＬ搬送波上でランダムアクセス手順を開始するように構成されたランダムアクセス手順開始ユニットとを備える。
【００２１】
［００２１］本開示の第７の態様によれば、コンピュータ可読記憶媒体に有形に記憶されたコンピュータプログラム製品が提供される。コンピュータプログラム製品は、少なくとも１つのプロセッサ上で実行されると、少なくとも１つのプロセッサに本開示の第１の態様による方法を実行させる命令を、含むことができる。
【００２２】
［００２２］本開示の第８の態様によれば、コンピュータ可読記憶媒体に有形に記憶されたコンピュータプログラム製品が提供される。コンピュータプログラム製品は、少なくとも１つのプロセッサ上で実行されると、少なくとも１つのプロセッサに本開示の第２の態様による方法を実行させる命令を、含むことができる。
【００２３】
［００２３］本開示の第９の態様では、通信システムが提供される。通信システムは、ホストコンピュータを備えることができる。ホストコンピュータは、ユーザデータを用意するように構成された処理回路と、端末装置への送信のためにユーザデータをセルラーネットワークに転送するように構成された通信インターフェースとを備えることができる。セルラーネットワークは、無線インターフェースおよび処理回路を有する基地局を備えることができる。基地局の処理回路は、本開示の第１の態様による方法のステップのいずれかを実行するように構成することができる。
【００２４】
［００２４］本開示の第１０の態様では、ホストコンピュータと、基地局と、端末装置とを備える通信システムにおいて実施される方法が提供される。この方法は、ホストコンピュータにおいて、ユーザデータを用意することと、ホストコンピュータにおいて、基地局を備えるセルラーネットワークを介して端末装置にユーザデータを運ぶ送信を開始することと、を含むことができ、基地局は、本開示の第１の態様による方法のステップのいずれかを実行する。
【００２５】
［００２５］本開示の第１１の態様では、通信システムが提供される。通信システムは、ホストコンピュータを備えることができる。ホストコンピュータは、ユーザデータを用意するように構成された処理回路と、端末装置への送信のためにユーザデータをセルラーネットワークに転送するように構成された通信インターフェースとを備えることができる。端末装置は、無線インターフェースおよび処理回路を備えることができる。端末装置の処理回路は、本開示の第２の態様による方法のステップのいずれかを実行するように構成することができる。
【００２６】
［００２６］本開示の第１２の態様では、ホストコンピュータと、基地局と、端末装置とを備える通信システムにおいて実施される方法が提供される。この方法は、ホストコンピュータにおいて、ユーザデータを用意することと、ホストコンピュータにおいて、基地局を備えるセルラーネットワークを介して端末装置にユーザデータを運ぶ送信を開始することと、を含むことができ、端末装置は、本開示の第２の態様による方法のステップのいずれかを実行する。
【００２７】
［００２７］本開示の第１３の態様では、通信システムが提供される。通信システムは、ホストコンピュータを備えることができる。ホストコンピュータは、端末装置から基地局への送信に起源を有するユーザデータを受信するように構成された通信インターフェースを備えることができる。端末装置は、無線インターフェースおよび処理回路を備えることができる。端末装置の処理回路は、本開示の第２の態様による方法のステップのいずれかを実行するように構成することができる。
【００２８】
［００２８］本開示の第１４の態様では、ホストコンピュータと、基地局と、端末装置とを備える通信システムにおいて実施される方法が提供される。本方法は、ホストコンピュータにおいて、端末装置から基地局に送信されたユーザデータを受信することを含むことができ、端末装置は、本開示の第２の態様による方法のステップのいずれかを実行する。
【００２９】
［００２９］本開示の第１５の態様では、通信システムが提供される。通信システムは、ホストコンピュータを備えることができる。ホストコンピュータは、端末装置から基地局への送信に起源を有するユーザデータを受信するように構成された通信インターフェースを備えることができる。基地局は、無線インターフェースおよび処理回路を備えることができる。基地局の処理回路は、本開示の第１の態様による方法のステップのいずれかを実行するように構成することができる。
【００３０】
［００３０］本開示の第１６の態様では、ホストコンピュータと、基地局と、端末装置とを備える通信システムにおいて実施される方法が提供される。この方法は、ホストコンピュータにおいて、基地局が端末装置から受信した送信に起源を有するユーザデータを、基地局から受信することを含むことができ、基地局は、本開示の第１の態様による方法のステップのいずれかを実行する。
【００３１】
［００３１］上述の様々な態様および実施形態によれば、２つのＵＬ搬送波が、１つのセルに対応する場合、本開示の実施形態による方法を使用することによって、基地局と端末装置との間でランダムアクセス手順を開始することができる。
【００３２】
［００３２］本開示の様々な実施形態の上記および他の態様、特徴、および利点が、例として、以下の詳細な説明から添付の図面を参照して、より十分に明らかになるであろう。図面では、同様の参照番号または文字が、同様または同等の要素を示すために使用されている。図面は、本開示の実施形態のより良い理解を容易にするために示されており、必ずしも一定の縮尺で描かれていない。
【図面の簡単な説明】
【００３３】
【図１】ＮＲセルのＳＵＬおよび通常のＵＬのカバレッジの例を示す。
【図２】本開示のいくつかの実施形態による、基地局において実施されるランダムアクセスのための方法を示すフローチャートである。
【図３】本開示のいくつかの実施形態による、端末装置において実施されるランダムアクセスのための方法を示すフローチャートである。
【図４】本開示のいくつかの実施形態による、端末装置において実施されるＵＬ同期を維持するための方法を示すフローチャートである。
【図５】本開示のいくつかの実施形態による、基地局において実施される装置の概略ブロック図である。
【図６】本開示のいくつかの実施形態による、端末装置において実施される装置の概略ブロック図である。
【図７】本開示のいくつかの実施形態による基地局内の装置の概略ブロック図である。
【図８】本開示のいくつかの実施形態による端末装置内の装置の概略ブロック図である。
【図９】本開示のいくつかの実施形態による、中間ネットワークを介してホストコンピュータに接続された電気通信ネットワークを示す。
【図１０】本開示のいくつかの実施形態による、複数の無線接続によって基地局を経由してユーザ機器と通信するホストコンピュータを示す。
【図１１】本開示のいくつかの実施形態による、ホストコンピュータ、基地局、およびユーザ機器を含む通信システムにおける方法のフローチャートを示す。
【図１２】本開示のいくつかの実施形態による、ホストコンピュータ、基地局、およびユーザ機器を含む通信システムにおける方法のフローチャートを示す。
【発明を実施するための形態】
【００３４】
［００４５］本開示の例示的な実施形態が示されている添付の図面を参照して、いくつかの例示的な実施形態を、より詳細に説明する。しかしながら、本開示は、様々な方法で実施することができ、したがって、本明細書に開示された実施形態に限定されると解釈されるべきではない。反対に、これらの実施形態は、本開示の徹底的かつ完全な理解のため、および本開示の範囲を当業者に完全に伝えるために提供される。
【００３５】
［００４６］以下、本開示の原理および精神を、例示的な実施形態を参照して説明する。これらの実施形態は全て、当業者が本開示をより良く理解し、さらに実施するために与えられているに過ぎず、本開示の範囲を限定するためのものではないことを理解されたい。例えば、一つの実施形態の一部として図示または説明された特徴は、別の実施形態と共に使用されて、さらに別の実施形態をもたらすことができる。明快さのため、本明細書では、実際の実施態様の全ての特徴を説明するわけではない。
【００３６】
［００４７］本明細書における「一実施形態」、「実施形態」、「例示的実施形態」などへの言及は、記載された実施形態が特定の特徴、構造、または特性を含むことができることを示すが、あらゆる実施形態がその特定の特徴、構造、または特性を含むことは必要でない。さらに、そのような語句は、必ずしも同じ実施形態を参照しているわけではない。さらに、特定の特徴、構造、または特性が、一つの実施形態に関連して記載されている場合、明示的に記載されているか否かにかかわらず、他の実施形態に関連してそのような特徴、構造、または特性を実施することは、当業者の知識の範囲内であることが提示される。
【００３７】
［００４８］用語「第１の」および「第２の」などが、様々な要素を説明するために本明細書で使用され得るが、これらの要素は、これらの用語によって限定されるべきではないことを理解されたい。これらの用語は、１つの要素を別の要素から区別するためにのみ使用される。例えば、例示的な実施形態の範囲から逸脱することなく、第１の要素を第２の要素と呼ぶことができ、同様に、第２の要素を第１の要素と呼ぶことができる。本明細書で使用される場合、用語「および／または」は、関連する列挙された用語のうちの１つ以上の任意のおよび全ての組み合わせを含む。
【００３８】
［００４９］本明細書で使用される用語は、特定の実施形態を説明することのみを目的としており、例示的な実施形態を限定することを意図していない。本明細書で使用される場合、単数形「ａ」、「ａｎ」および「ｔｈｅ」は、文脈が明らかに別段の指示をしない限り、複数形も含むことを意図する。用語「備える」、「備えている」、「有する」、「有している」、「含む」、および／または「含んでいる」は、本明細書で使用される場合、述べられた特徴、要素、および／または構成要素などの存在を明示するが、１つ以上の他の特徴、要素、構成要素、および／またはそれらの組み合わせの存在または追加を排除しないことが、さらに理解されるであろう。
【００３９】
［００５０］以下の説明および特許請求の範囲では、別段の定義がない限り、本明細書で使用される全ての技術用語および科学用語は、本開示が属する技術分野の通常の当業者によって一般に理解されるものと同じ意味を有する。例えば、本明細書で使用される「端末装置」という用語は、携帯電話（ｍｏｂｉｌｅ  ｐｈｏｎｅｓ）、携帯電話（ｃｅｌｌｕｌａｒ  ｐｈｏｎｅｓ）、スマートフォン、またはパーソナルデジタルアシスタント（ＰＤＡ）、ポータブルコンピュータ、デジタルカメラなどの画像キャプチャデバイス、ゲームデバイス、音楽保存および再生機器、ウェアラブルデバイス、車両搭載無線デバイスなどを含むが、これらに限定されない、無線通信能力を有する任意の端末装置またはユーザ機器（ＵＥ）を指すことができる。以下の説明では、「端末装置」、「ユーザ機器」、および「ＵＥ」という用語は、交換可能に使用され得る。同様に、「基地局」という用語は、ｎｏｄｅＢ（ＮｏｄｅＢまたはＮＢ）、ｅｖｏｌｖｅｄ  ＮｏｄｅＢ（ｅＮｏｄｅＢまたはｅＮＢ）、リモート無線装置（ＲＲＵ）、無線ヘッド（ＲＨ）、リモート無線ヘッド（ＲＲＨ）、リレーノード（ＲＮ）、フェムト、ピコなどの低電力ノード（ＬＰＮ）、アクセスポイント（ＡＰ）などを表すことができる。
【００４０】
［００５１］例示のために、本開示のいくつかの実施形態が、新無線（Ｎｅｗ  Ｒａｄｉｏ：ＮＲ）システムの文脈で説明される。しかし、当業者は、本開示のいくつかの実施形態の発想および原理が、１つより多いＵＬ搬送波を有する他の無線ネットワークに、より一般的に適用可能であり得ることを理解するであろう。
【００４１】
［００５２］接続モードにおけるＳＵＬ動作についての３ＧＰＰ無線アクセスネットワーク２（ＲＡＮ２）の議論において、ＳＵＬが構成されたときに、同一セルの１つのＤＬに対して２つのＵＬが構成されることが合意されている。すなわち、２つのＵＬが、同一セルに対応する。
【００４２】
［００５３］ＬＴＥでＲＲＣ接続された端末装置についてランダムアクセスをトリガするには、ｍｏｂｉｌｉｔｙＣｏｎｔｒｏｌＩｎｆｏを含むＲＲＣＣｏｎｎｅｃｔｉｏｎＲｅｃｏｎｆｉｇｕｒａｔｉｏｎメッセージを送信するか、ＰＤＣＣＨオーダまたはＭＡＣ  ＣＥを送信するかの、２つの方法がある。
【００４３】
［００５４］前者の解決法は、ハンドオーバのために使用することができる。端末装置は、端末装置が無線リンク障害（ＲＬＦ）を監視するプライマリセル（Ｐセル）上でランダムアクセスを行う。後者の解決法は、セカンダリセル（Ｓセル）の搬送波のＵＬ同期がＰセルとは異なる場合に使用され、したがって、ネットワークは、その搬送波を介してＰＤＣＣＨオーダを送信し、その搬送波上のランダムアクセスをトリガする。
【００４４】
［００５５］ＳＵＬがあると、１つのＤＬ搬送波に結び付けられた少なくとも２つのＵＬ搬送波が存在する、すなわち、通常のＵＬと共にＳＵＬが存在する。すると、端末装置は、ランダムアクセス手順を実行するためにいずれの搬送波を使用する必要があるか分からない。言い換えれば、ランダムアクセスをどのように構成するかが、このような場合の問題である。接続モードの場合、いずれのＵＬがランダムアクセス手順に使用されるべきかを決定することは、ネットワーク制御に基づくべきである。しかしながら、従来技術には、これを支持する方法がない。
【００４５】
［００５６］ＲＲＣＣｏｎｎｅｃｔｉｏｎＲｅｃｏｎｆｉｇｕｒａｔｉｏｎメッセージでトリガされたランダムアクセスの場合、ランダムアクセス手順は、ハンドオーバ中にＰセル上でトリガされ得る。しかしながら、ＲＡＮ２合意によれば、両方のＵＬ搬送波が、同じＤＬのためのものであり、したがって、いずれのＵＬ搬送波が選択されるべきか明らかでない。
【００４６】
［００５７］ＰＤＣＣＨオーダまたはＭＡＣ  ＣＥでトリガされたランダムアクセスの場合もまた、ＰＤＣＣＨオーダまたはＭＡＣ  ＣＥが、搬送波インデックスに関する情報を有しないので、いずれのＵＬ搬送波が選択されるべきか明らかでない。
【００４７】
［００５８］ＮＲでは、図１のエリア１０１内の端末装置にとって、２つの候補ＵＬ搬送波が、１つのＮＲセルについて利用可能であり、したがって、ランダムアクセス手順は、ＳＵＬ搬送波および通常のＵＬ搬送波の両方で開始することができ、これは、端末装置に対して、２つの候補ＵＬ搬送波をそれぞれ介して、ＮＲセルへのランダムアクセスが２回開始されることを意味する。以下の説明において、第１のＵＬ搬送波とは、端末装置とのランダムアクセス手順に初めて使用されるＵＬ搬送波を指す。第２のＵＬ搬送波とは、端末装置とのランダムアクセス手順に２回目に使用されるＵＬ搬送波を指す。Ｐセルに関して、第１のＵＬ搬送波上のランダムアクセスは、ＲＲＣメッセージによってトリガされ、第２のＵＬ搬送波上のランダムアクセスは、ＰＤＣＣＨオーダまたはＭＡＣ  ＣＥによってトリガされる。両方の候補ＵＬ搬送波上でＰセルにおけるランダムアクセス手順が開始された後、（Ｐセルに基づいて端末装置に追加の無線リソースを提供する）セカンダリセル（Ｓセル）へのランダムアクセス手順が開始され得る。Ｐセルとは異なり、通常のＵＬ搬送波およびＳＵＬ搬送波を介するＳセルへのランダムアクセスは両方とも、ＰＤＣＣＨオーダまたはＭＡＣ  ＣＥによってトリガされる。
【００４８】
［００５９］本開示のある実施形態によれば、基地局における方法が提供される。この方法は、ランダムアクセスをトリガするための第１のメッセージを端末装置に送信するステップと、第１のアップリンク搬送波上で端末装置からランダムアクセス要求を受信するステップとを含む。第１のアップリンク搬送波は、通常のアップリンク搬送波または補助アップリンク搬送波のいずれかであり、両方とも、基地局によってサービングされるセルに関して端末装置に設定されている。この方法は、基地局がランダムアクセス要求をどのように処理するかなどの、受信ステップの後のステップを、さらに含むことができる。図２に示す例が、以下に提供される。
【００４９】
［００６０］図２は、本開示のいくつかの実施形態による、基地局において実施されるランダムアクセスのための方法２００を示すフローチャートである。基地局は、例えば、ＮＲシステム内で動作するｇＮＢであってもよい。破線によって示される任意のステップまたは特徴は、任意選択であるとみなされるべきである。
【００５０】
［００６１］図２に示すように、ブロック２１０において、基地局は、ランダムアクセスをトリガするための第１のメッセージを端末装置に送信することができる。Ｐセルに関して、第１のメッセージは、ＲＲＣメッセージであってもよい。Ｓセルに関して、第１のメッセージは、ＰＤＣＣＨオーダまたはＭＡＣ  ＣＥであってもよい。いくつかの実施形態では、第１のメッセージは、ランダムアクセスのための２つの候補ＵＬ搬送波のうちの第１のＵＬ搬送波を指示することができる。以下では、ＲＲＣメッセージまたはＰＤＣＣＨオーダもしくはＭＡＣ  ＣＥに関して別々に、ランダムアクセスのための第１のＵＬ搬送波を指示する方法について説明する。
【００５１】
［００６２］いくつかの実施形態では、ランダムアクセスのための第１のＵＬ搬送波の指示は、明示的であっても黙示的であってもよい。
【００５２】
［００６３］ＲＲＣメッセージに関する明示的な指示の一実施形態では、第１のＵＬ搬送波は、ＵＬ搬送波インジケータによって指示されてもよい。ＲＲＣメッセージは、第１のＵＬ搬送波を指示するＵＬ搬送波インジケータを含むことができる。一例では、いずれのＵＬ搬送波がランダムアクセス手順のために選択されるべきかを指示するために、ＵＬ搬送波インデックスフィールドが、ＲＲＣメッセージ内のＳｙｎｃｈｒｏｎｏｕｓＲｅｃｏｎｆｉｇｕａｔｉｏｎのＳｅｒｖｉｎｇＣｅｌｌＣｏｎｆｉｇＣｏｍｍｏｎに含まれてもよい。一例では、ＵＬ搬送波インデックスフィールドが、０に設定されている場合、ＳＵＬ搬送波が、ランダムアクセス手順のために選択され、そうでない場合、通常のＵＬ搬送波が、ランダムアクセス手順のために選択される。別の例では、ＵＬ搬送波インデックスフィールドが、０に設定されている場合、通常のＵＬ搬送波が、ランダムアクセス手順のために選択され、そうでない場合、ＳＵＬ搬送波が、ランダムアクセス手順のために選択される。
【００５３】
［００６４］ＲＲＣメッセージに関する黙示的な指示の一実施形態では、第１のＵＬ搬送波は、ＳＵＬ搬送波および通常のＵＬ搬送波のＵＬ情報によって指示されてもよい。ＳＵＬ搬送波および通常のＵＬ搬送波の両方を、ＲＲＣメッセージによって構成することができる。しかし、各ＵＬ搬送波のために構成されたＵＬ情報は、異なっていてもよい。第１のＵＬ搬送波は、第２のＵＬ搬送波よりも多くのＵＬ情報で構成されてもよい。一例では、第１のＵＬ搬送波は、完全な情報で構成されてもよく、すなわち、ＰＵＳＣＨ（Ｐｈｙｓｉｃａｌ  Ｕｐｌｉｎｋ  Ｓｈａｒｅｄ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＳＲＳ（Ｓｏｕｎｄｉｎｇ  Ｒｅｆｅｒｅｎｃｅ  Ｓｉｇｎａｌ）が、全て第１のＵＬ搬送波の中に構成される。第２のＵＬは、部分的な情報、例えば、ＰＵＳＣＨのみ、またはＰＵＳＣＨおよびＰＵＣＣＨ、またはＰＵＳＣＨおよびＳＲＳで構成されてもよい。あるいは、両方のＵＬ搬送波が、完全な情報で構成されなくてもよい。第１のＵＬ搬送波は、例えば、ＰＵＳＣＨおよびＰＵＣＣＨ、またはＰＵＳＣＨおよびＳＲＳで構成されてもよい。第２のＵＬは、例えば、ＰＵＳＣＨのみ、またはＰＵＣＣＨ、またはＳＲＳで構成されてもよい。
【００５４】
［００６５］ＰＤＣＣＨオーダまたはＭＡＣ  ＣＥに関する明示的な指示の一実施形態では、ＲＲＣメッセージと同様に、ＰＤＣＣＨオーダまたはＭＡＣ  ＣＥは、第１のＵＬ搬送波を指示するＵＬ搬送波インジケータを含んでもよい。一例では、いずれのＵＬ搬送波がランダムアクセス手順のために選択されるべきかを指示するために、ＵＬ搬送波インデックスフィールドが、ＰＤＣＣＨオーダまたはＭＡＣ  ＣＥに含まれてもよい。一例では、ＵＬ搬送波インデックスフィールドが、０に設定されている場合、ＳＵＬ搬送波が、ランダムアクセス手順のために選択され、そうでない場合、通常のＵＬ搬送波が、ランダムアクセス手順のために選択される。別の例では、ＵＬ搬送波インデックスフィールドが、０に設定されている場合、通常のＵＬ搬送波が、ランダムアクセス手順のために選択され、そうでない場合、ＳＵＬ搬送波が、ランダムアクセス手順のために選択される。
【００５５】
［００６６］ＰＤＣＣＨオーダまたはＭＡＣ  ＣＥに関する黙示的な指示の一実施形態では、第１のＵＬ搬送波は、ＰＤＣＣＨオーダまたはＭＡＣ  ＣＥ内のプリアンブルインデックスによって指示されてもよい。一例では、ＰＤＣＣＨオーダまたはＭＡＣ  ＣＥで使用されるプリアンブルインデックスは、２つのグループに分類され、一方のグループは、ＳＵＬ搬送波に対応し、他方のグループは、通常のＵＬ搬送波に対応する。したがって、ＰＤＣＣＨオーダまたはＭＡＣ  ＣＥで使用されるプリアンブルインデックスと２つの候補ＵＬ搬送波との間のマッピング（以下、第１のマッピングと呼ぶ）を確立することができる。第１のマッピングは、ブロードキャストされたシステム情報において、または端末装置専用シグナリングにおいて、端末装置に提供されてもよい。あるいは、第１のマッピングは、端末装置に予め定義されていてもよい。こうして、端末装置は、ＰＤＣＣＨオーダまたはＭＡＣ  ＣＥを受信すると、このプリアンブルインデックスがいずれのグループに属するかをチェックし、ランダムアクセス手順を開始するためにいずれのＵＬ搬送波を使用すべきかを知ることができる。
【００５６】
［００６７］ＰＤＣＣＨオーダまたはＭＡＣ  ＣＥに関する黙示的な指示の別の実施形態では、第１のＵＬ搬送波は、ＰＤＣＣＨオーダまたはＭＡＣ  ＣＥの受信タイミングによって指示されてもよい。一例では、異なるタイミングが、異なるＵＬ搬送波に対応すると、規定することができる。一例では、偶数番号のスロット／サブフレーム／フレームが、ＳＵＬ搬送波に対応し、奇数番号のスロット／サブフレーム／フレームが、通常のＵＬ搬送波に対応することができる。あるいは、偶数番号のスロット／サブフレーム／フレームが、ＳＵＬ搬送波に対応し、奇数番号のスロット／サブフレーム／フレームが、通常のＵＬ搬送波に対応してもよい。したがって、第１のメッセージの受信タイミングと２つの候補ＵＬ搬送波との間のマッピング（以下、第２のマッピングと呼ぶ）を確立することができる。第２のマッピングは、専用ＲＲＣシグナリングを介して端末装置に提供されてもよい。あるいは、第２のマッピングは、端末装置に予め定義されていてもよい。ＰＤＣＣＨオーダまたはＭＡＣ  ＣＥの受信タイミングが、使用すべきＵＬ搬送波を指示することができる。
【００５７】
［００６８］加えて、ＲＲＣメッセージ、またはＰＤＣＣＨオーダもしくはＭＡＣ  ＣＥに関するランダムアクセスのための第１のＵＬ搬送波の指示の一実施形態が、本開示によって提供される。この実施形態では、第１のメッセージ（すなわち、ＲＲＣメッセージ、またはＰＤＣＣＨオーダもしくはＭＡＣ  ＣＥ）は、無線ネットワーク一時識別子（ＲＮＴＩ）によってスクランブルされてもよい。複数のＲＮＴＩが、端末装置に割り当てられて、各ＲＮＴＩが、１つのＵＬ搬送波に関連付けられてもよい。したがって、ＲＮＴＩと２つの候補ＵＬ搬送波との間のマッピング（以下、第４のマッピングと呼ぶ）を確立することができる。第４のマッピングは、専用ＲＲＣシグナリングを介して端末装置に提供されてもよい。あるいは、第４のマッピングは、端末装置に予め定義されていてもよい。端末装置が第１のメッセージを受信すると、第１のメッセージをデスクランブルするために種々のＲＮＴＩを使用することを試すことができる。第１のメッセージをデスクランブルすることができるＲＮＴＩは、第１のＵＬ搬送波に対応することができる。端末装置は、第４のマッピングから、このＲＮＴＩと第１のＵＬ搬送波との間の対応を見つけることができ、したがって、第１のＵＬ搬送波を決定することができる。
【００５８】
［００６９］ブロック２１５において、基地局は、第１のＵＬ搬送波上で端末装置からランダムアクセス要求を受信することができる。次に、ブロック２２０において、基地局は、第１のＵＬ搬送波上の端末装置からのランダムアクセス要求に応答することができる。一例では、基地局は、第１のタイミングアドバンス（ＴＡ）を含む応答を端末装置に送信することができる。次に、端末装置は、第１のＴＡに基づいて、第１のＵＬ搬送波のための初期ＵＬ同期を取得することができる。
【００５９】
［００７０］ブロック２３０において、基地局は、ランダムアクセスをトリガするための第２のメッセージを端末装置に送信することができる。一実施形態では、第２のメッセージは、トリガされるべきランダムアクセスのための第２のＵＬ搬送波を指示することができる。第２のＵＬ搬送波は、第１のＵＬ搬送波を除く、少なくとも２つの候補ＵＬ搬送波のうちの１つである。別の実施形態では、２つの候補ＵＬ搬送波のみが存在し、第１のＵＬ搬送波がブロック２１０で決定された場合、第２のメッセージは、いずれのＵＬ搬送波が今回選択されるかを指示する必要がない。一例では、第１のＵＬ搬送波が、ＳＵＬ搬送波である場合、第２のＵＬ搬送波は、通常のＵＬ搬送波である。第１のＵＬ搬送波が、通常のＵＬ搬送波である場合、第２のＵＬ搬送波は、ＳＵＬ搬送波である。あるいは、第２のメッセージは、ＰＤＣＣＨオーダまたはＭＡＣ  ＣＥに関連する前述の方法を使用することによって、いずれのＵＬ搬送波が選択されるかを指示することもできる。
【００６０】
［００７１］ブロック２３５において、基地局は、第２のＵＬ搬送波上で端末装置からランダムアクセス要求を受信することができる。次に、ブロック２４０において、基地局は、第２のＵＬ搬送波上の端末装置からのランダムアクセス要求に応答することができる。一例では、基地局は、第２のＴＡを含む応答を端末装置に送信することができる。次に、端末装置は、第２のＴＡに基づいて、第２のＵＬ搬送波のための初期ＵＬ同期を取得することができる。
【００６１】
［００７２］２つのランダムアクセス手順を介して２つの候補ＵＬ搬送波のための初期ＵＬ同期が取得されると、端末装置は、ＵＬ同期を連続的に維持する必要がある。ＭＡＣ  ＣＥ  ＴＡコマンドが、連続的な時間整合を維持するために使用されてもよい。しかしながら、現在のＭＡＣ  ＣＥ  ＴＡコマンドは、いずれのＵＬ搬送波を対象とするかを指示しない。いくつかの実施形態では、ＵＬ同期を維持するための方法において、基地局は、（図２のブロック２５０に示されるように）ＭＡＣ  ＣＥタイミングアドバンス（ＴＡ）コマンドを端末装置に送信することができ、ＭＡＣ  ＣＥ  ＴＡコマンドは、ＭＡＣ  ＣＥがいずれのＵＬ搬送波を対象とするかを指示する。ＵＬ同期を維持するための方法の実施形態を以下に説明する。
【００６２】
［００７３］一実施形態では、ＭＡＣ  ＣＥ  ＴＡコマンドの受信タイミングが使用されて、このＭＡＣ  ＣＥ  ＴＡコマンドがいずれのＵＬ搬送波を対象とするかを指示することができる。例えば、偶数番号のスロット／サブフレーム／フレームで受信されたＭＡＣ  ＣＥ  ＴＡコマンドは、ＳＵＬ搬送波のためのものであってもよく、一方、奇数番号のスロット／サブフレーム／フレームで受信されたＭＡＣ  ＣＥ  ＴＡコマンドは、通常のＵＬ搬送波のためのものであってもよい。あるいは、偶数番号のスロット／サブフレーム／フレームで受信されたＭＡＣ  ＣＥ  ＴＡコマンドは、通常のＵＬ搬送波のためのものであってもよく、一方、奇数番号のスロット／サブフレーム／フレームで受信されたＭＡＣ  ＣＥ  ＴＡコマンドは、ＳＵＬ搬送波のためのものであってもよい。したがって、ＭＡＣ  ＣＥ  ＴＡコマンドの受信タイミングと２つの候補ＵＬ搬送波との間のマッピング（以下、第３のマッピングと呼ぶ）を確立することができる。第３のマッピングは、専用ＲＲＣシグナリングを介して端末装置に提供されてもよい。あるいは、第３のマッピングは、端末装置に予め定義されていてもよい。
【００６３】
［００７４］別の実施形態では、ＭＡＣ  ＣＥ  ＴＡコマンドをスクランブルするために使用されるＲＮＴＩが、このＭＡＣ  ＣＥ  ＴＡコマンドがいずれのＵＬ搬送波を対象とするかを指示するために使用されてもよい。上述したように、複数のＲＮＴＩが、端末装置に割り当てられ、各ＲＮＴＩが、１つのＵＬ搬送波に関連付けられてもよい。端末装置は、ＭＡＣ  ＣＥ  ＴＡコマンドを受信すると、ＭＡＣ  ＣＥ  ＴＡコマンドをデスクランブルするために、種々のＲＮＴＩを使用することができる。ＭＡＣ  ＣＥ  ＴＡコマンドをデスクランブルすることができるＲＮＴＩは、１つのＵＬ搬送波に対応することができる。端末装置は、第４のマッピングから、このＲＮＴＩとそのＵＬ搬送波との間の対応を見つけることができ、したがって、このＴＡコマンドがいずれのＵＬ搬送波を対象とするかを決定することができる。
【００６４】
［００７５］ＵＬ同期を維持するための方法は、個別のものであってもよいし、図２に示す方法２００と組み合わせたものであってもよい。
【００６５】
［００７６］本開示のある実施形態によれば、端末装置における方法が提供される。この方法は、ランダムアクセスをトリガするための第１のメッセージを基地局から受信するステップであって、第１のメッセージは、基地局によってサービングされるセルに関して両方とも端末装置に設定されている通常のアップリンク搬送波または補助アップリンク搬送波のいずれかの第１のアップリンク搬送波を指示する、ステップと、第１のメッセージに基づいて第１のＵＬ搬送波を決定するステップと、第１のアップリンク搬送波上で基地局にランダムアクセス要求を送信するステップと、を含む。本方法は、ランダムアクセス要求の送信後のステップを、さらに含むことができる。図３に示す例が、以下に提供される。
【００６６】
［００７７］図３は、本開示のいくつかの実施形態による、端末装置において実施されるランダムアクセスのための方法３００を示すフローチャートである。端末装置は、無線通信が可能な任意のタイプの装置であってよく、ＵＥまたは端末と呼ばれてもよい。
【００６７】
［００７８］図３に示すように、ブロック３１０において、端末装置は、ランダムアクセスをトリガするための第１のメッセージを基地局から受信することができる。第１のメッセージは、ランダムアクセスのための２つの候補ＵＬ搬送波のうちの第１のＵＬ搬送波を指示することができる。Ｐセルに関して、第１のメッセージは、ＲＲＣメッセージであってもよい。Ｓセルに関して、第１のメッセージは、ＰＤＣＣＨオーダまたはＭＡＣ  ＣＥであってもよい。ランダムアクセスのための２つの候補ＵＬ搬送波のうちの第１のＵＬ搬送波を指示する方法は、上述の通りである。
【００６８】
［００７９］ブロック３２０において、端末装置は、第１のメッセージに基づいて第１のＵＬ搬送波を決定することができる。
【００６９】
［００８０］一実施形態では、第１のＵＬ搬送波が、第１のメッセージ内のＵＬ搬送波インジケータによって指示される場合、端末装置は、ＵＬ搬送波インジケータを取得し、ＵＬ搬送波インジケータに基づいて第１のＵＬ搬送波を決定することができる。第１のＵＬ搬送波を決定する原理は、ＵＬ搬送波インジケータがどのように定義されるかに依存する。一例では、ＵＬ搬送波インジケータが、０に設定されている場合、ＳＵＬ搬送波が、ランダムアクセス手順のために選択される。端末装置は、ＵＬ搬送波インジケータのフィールドに「０」を見つけた場合、第１のＵＬ搬送波をＳＵＬ搬送波であると認識し、そうでない場合、第１のＵＬ搬送波を通常のＵＬ搬送波であると認識する。あるいは、ＵＬ搬送波インジケータが、０に設定されている場合、通常のＵＬ搬送波が、ランダムアクセス手順のために選択される。端末装置は、ＵＬ搬送波インジケータのフィールドに「０」を見つけた場合、第１のＵＬ搬送波を通常のＵＬ搬送波であると認識し、そうでない場合、第１のＵＬ搬送波をＳＵＬ搬送波であると認識する。
【００７０】
［００８１］一実施形態では、第１のＵＬ搬送波が、ＳＵＬ搬送波および通常のＵＬ搬送波のＵＬ情報によって指示される場合、端末装置は、第１のメッセージから２つの候補ＵＬ搬送波のＵＬ情報を取得し、次に、より多くのＵＬ情報を有するＵＬ搬送波を第１のＵＬ搬送波として決定することができる。
【００７１】
［００８２］一実施形態では、第１のＵＬ搬送波が、ＰＤＣＣＨオーダまたはＭＡＣ  ＣＥ内のプリアンブルインデックスによって指示される場合、端末装置は、第１のメッセージ内のプリアンブルインデックスを取得し、第１のマッピングおよび２つの候補ＵＬ搬送波に基づいて、プリアンブルインデックスに対応する第１のＵＬ搬送波を決定することができる。第１のマッピングは、ブロードキャストされたシステム情報において、または端末装置専用シグナリングにおいて、端末装置に通知されてもよい。あるいは、第１のマッピングは、端末装置に予め定義されていてもよい。したがって、端末装置は、ＰＤＣＣＨオーダまたはＭＡＣ  ＣＥを受信すると、第１のマッピングに基づいてプリアンブルインデックスに対応する第１のＵＬ搬送波を決定することができる。
【００７２】
［００８３］一実施形態では、第１のＵＬ搬送波が、ＰＤＣＣＨオーダまたはＭＡＣ  ＣＥの受信タイミングによって指示される場合、端末装置は、第１のメッセージの受信タイミングを取得し、受信タイミングに基づいて第１のＵＬ搬送波を決定することができる。端末装置は、ＰＤＣＣＨオーダまたはＭＡＣ  ＣＥを受信すると、第２のマッピングにおいて第１のメッセージの受信タイミングに対応するＵＬ搬送波を決定し、それを第１のＵＬ搬送波として決定することができる。第２のマッピングは、ブロードキャストされたシステム情報において、または端末装置専用シグナリングにおいて、端末装置に通知されてもよい。あるいは、第２のマッピングは、端末装置に予め定義されていてもよい。一例では、偶数番号のスロットは、ＳＵＬ搬送波に対応し、奇数番号のスロットは、通常のＵＬ搬送波に対応すると定義される。端末装置は、偶数番号のスロットでＰＤＣＣＨオーダまたはＭＡＣ  ＣＥを受信すると、第１のＵＬ搬送波をＳＵＬ搬送波として決定することができる。端末装置は、奇数番号のスロットでＰＤＣＣＨオーダまたはＭＡＣ  ＣＥを受信すると、第１のＵＬ搬送波を通常のＵＬ搬送波として決定することができる。
【００７３】
［００８４］一実施形態では、第１のＵＬ搬送波が、第１のメッセージをスクランブル／デスクランブルするために使用されるＲＮＴＩによって指示される場合、端末装置は、第１のメッセージのためのＲＮＴＩを決定することができる。一例では、端末装置は、第１のメッセージをデスクランブルするために、種々のＲＮＴＩを使用し、それにより、第１のメッセージに対応するＲＮＴＩを決定することができる。次に、端末装置は、第４のマッピングに基づいて、第１のメッセージのためのＲＮＴＩに対応する第１のＵＬ搬送波を決定する。第４のマッピングは、専用ＲＲＣシグナリングを介して端末装置に送信されてもよい。あるいは、第４のマッピングは、端末装置に予め定義されていてもよい。
【００７４】
［００８５］ブロック３３０において、端末装置は、第１のＵＬ搬送波上で基地局にランダムアクセスを送信することができる。一例では、端末装置は、ランダムアクセス要求を基地局に送信し、次に、端末装置への第１のＴＡを含む応答を受信することができる。次に、端末装置は、第１のＴＡに基づいて、第１のＵＬ搬送波のための初期ＵＬ同期を取得することができる。
【００７５】
［００８６］ブロック３４０において、端末装置は、ランダムアクセスをトリガするための第２のメッセージを基地局から受信することができる。２つの候補ＵＬ搬送波しかないので、第２のＵＬ搬送波は、第１の搬送波以外のＵＬ搬送波である。端末装置は、第２のメッセージを受信すると、第２のＵＬ搬送波を決定することができる。一例では、第１のＵＬ搬送波が、ＳＵＬ搬送波である場合、第２のＵＬ搬送波は、通常のＵＬ搬送波である。第１のＵＬ搬送波が、通常のＵＬ搬送波である場合、第２のＵＬ搬送波は、ＳＵＬ搬送波である。あるいは、端末装置は、第２のメッセージが第２のＵＬ搬送波を指示する場合、第２のメッセージを分析して第２のＵＬ搬送波を決定するために、前述の方法を使用することもできる。
【００７６】
［００８７］ブロック３５０において、端末装置は、第２のメッセージに基づいて第２のＵＬ搬送波を決定することができる。第２のメッセージに基づいて第２のＵＬ搬送波を決定するプロセスは、ブロック３２０で説明したプロセスと同様であってもよい。
【００７７】
［００８８］ブロック３６０において、端末装置は、基地局への２つの候補ＵＬ搬送波のうちの第２のＵＬ搬送波上でランダムアクセス手順を開始することができる。一例では、端末装置は、ランダムアクセス要求を基地局に送信し、次に、端末装置への第２のＴＡを含む応答を受信することができる。次に、端末装置は、第２のＴＡに基づいて、第２のＵＬ搬送波のための初期ＵＬ同期を取得することができる。
【００７８】
［００８９］図４は、本開示のいくつかの実施形態による、端末装置において実施されるＵＬ同期を維持するための方法４００を示すフローチャートである。図４に示すように、ブロック４１０において、端末装置は、基地局からＭＡＣ  ＣＥ  ＴＡコマンドを受信することができる。ＭＡＣ  ＣＥ  ＴＡコマンドは、ＭＡＣ  ＣＥがいずれのＵＬ搬送波を対象とするかを指示することができる。
【００７９】
［００９０］ブロック４２０において、端末装置は、ＭＡＣ  ＣＥ  ＴＡコマンドに基づいて、ＵＬ搬送波を決定することができる。
【００８０】
［００９１］一実施形態では、ＵＬ搬送波が、ＭＡＣ  ＣＥ  ＴＡコマンドの受信タイミングによって指示される場合、端末装置は、ＭＡＣ  ＣＥ  ＴＡコマンドの受信タイミングを決定することができる。次に、端末装置は、ＭＡＣ  ＣＥ  ＴＡコマンドの受信タイミングに対応するＵＬ搬送波を決定することができる。第３のマッピングが、専用ＲＲＣシグナリングを介して端末装置に送信されてもよい。あるいは、第３のマッピングは、端末装置に予め定義されていてもよい。端末装置は、第３のマッピングに基づいて、ＭＡＣ  ＣＥ  ＴＡコマンドの受信タイミングに対応するＵＬ搬送波を決定することができる。
【００８１】
［００９２］別の実施形態では、ＵＬ搬送波が、ＭＡＣ  ＣＥ  ＴＡコマンドをスクランブル／デスクランブルするために使用されるＲＮＴＩによって指示される場合、端末装置は、ＭＡＣ  ＣＥ  ＴＡコマンドのためのＲＮＴＩを決定することができる。一例では、端末装置は、ＭＡＣ  ＣＥ  ＴＡコマンドをデスクランブルするために、種々のＲＮＴＩを使用し、それにより、ＭＡＣ  ＣＥ  ＴＡコマンドに対応するＲＮＴＩを決定することができる。次に、端末装置は、第４のマッピングに基づいて、ＲＮＴＩに対応するＵＬ搬送波を決定することができる。第４のマッピングは、専用ＲＲＣシグナリングを介して端末装置に送信されてもよい。あるいは、第４のマッピングは、端末装置に予め定義されていてもよい。
【００８２】
［００９３］ブロック４３０において、端末装置は、決定されたＵＬ搬送波のためのＴＡを更新することができる。このようにして、ＵＬ搬送波のためのＵＬ同期を維持することができる。
【００８３】
［００９４］端末装置において実施されるＵＬ同期を維持するための方法４００は、図３に示される方法と組み合わせてもよく、または個別であってもよい。
【００８４】
［００９５］上述の様々な態様および実施形態によれば、２つのＵＬ搬送波が、ＮＲの１つのセルに対応する場合、本開示の実施形態による方法を使用することによって、基地局と端末装置との間でランダムアクセス手順を開始することができ、それによって、ＮＲのＵＬカバレッジを増加させることができる。
【００８５】
［００９６］図５は、基地局、例えば、ＮＲシステム内のｇＮＢで実施されうる装置５００の簡略化されたブロック図を示す。図５に示すように、装置５００は、データプロセッサ（ＤＰ）などの少なくとも１つのプロセッサ５１１と、プロセッサ５１１に結合された少なくとも１つのメモリ（ＭＥＭ）５１２とを備えることができる。装置５００は、プロセッサ５１１に結合された送信機ＴＸおよび受信機ＲＸ５１３を、さらに備えることができる。ＭＥＭ５１２は、プログラム（ＰＲＯＧ）５１４を記憶している。ＰＲＯＧ５１４は、関連するプロセッサ５１１上で実行されると、装置５００に、ランダムアクセスをトリガするための第１のメッセージであって、ランダムアクセスのための２つの候補ＵＬ搬送波のうちの第１のアップリンク（ＵＬ）搬送波を指示する第１のメッセージを端末装置に送信することと、第１のＵＬ搬送波上の端末装置からのランダムアクセス要求に応答することと、ランダムアクセスをトリガするための第２のメッセージを端末装置へ送信することと、２つの候補ＵＬ搬送波のうちの第２のＵＬ搬送波上の端末装置からのランダムアクセス要求に応答することと、を可能にさせる命令を含むことができる。少なくとも１つのプロセッサ５１１と少なくとも１つのＭＥＭ５１２との組み合わせは、本開示の様々な実施形態を実施するように適合された処理手段５１５を形成することができる。
【００８６】
［００９７］プロセッサ５１１は、ローカル技術環境に適した任意のタイプであってよく、非限定的な例として、汎用コンピュータ、専用コンピュータ、マイクロプロセッサ、デジタル信号プロセッサＤＳＰ、およびマルチコアプロセッサアーキテクチャに基づくプロセッサのうちの１つ以上を含むことができる。
【００８７】
［００９８］ＭＥＭ５１２は、ローカル技術環境に適した任意のタイプであってよく、非限定的な例として、半導体ベースのメモリデバイス、磁気メモリデバイスおよびシステム、光メモリデバイスおよびシステム、固定メモリおよびリムーバブルメモリなどの、任意の適切なデータ記憶技術を使用して実施することができる。
【００８８】
［００９９］いくつかの実施形態では、装置５００は、第１のＵＬ搬送波を指示するＵＬ搬送波インジケータを第１のメッセージ内に含むように、さらに動作してもよい。
【００８９】
［００１００］いくつかの実施形態では、装置５００は、第２のＵＬ搬送波よりも多くのＵＬ情報で第１のＵＬ搬送波を構成するように、さらに動作してもよい。
【００９０】
［００１０１］いくつかの実施形態では、装置５００は、第１のメッセージ内のプリアンブルインデックスによって第１のＵＬ搬送波を指示するように、さらに動作してもよい。
【００９１】
［００１０２］いくつかの実施形態では、装置５００は、ＰＤＣＣＨオーダまたはＭＡＣ  ＣＥで使用されるプリアンブルインデックスと、２つの候補ＵＬ搬送波との間の第１のマッピングを端末装置に送信するように、さらに動作してもよい。
【００９２】
［００１０３］いくつかの実施形態では、装置５００は、第１のメッセージの受信タイミングと２つの候補ＵＬ搬送波との間の第２のマッピングを端末装置に送信するように、さらに動作してもよい。
【００９３】
［００１０４］いくつかの実施形態では、装置５００は、ＭＡＣ  ＣＥがいずれのＵＬ搬送波を対象とするかを指示するＭＡＣ  ＣＥ  ＴＡコマンドを、端末装置に送信するように、さらに動作してもよい。
【００９４】
［００１０５］いくつかの実施形態では、装置５００は、ＭＡＣ  ＣＥ  ＴＡコマンドの受信タイミングと２つの候補ＵＬ搬送波との間の第３のマッピングを端末装置に送信するように、さらに動作してもよい。
【００９５】
［００１０６］いくつかの実施形態では、装置５００は、ＲＮＴＩと２つの候補ＵＬ搬送波との間の第４のマッピングを端末装置に送信するように、さらに動作してもよい。
【００９６】
［００１０７］本開示の様々な実施形態は、プロセッサ６１１、ソフトウェア、ファームウェア、ハードウェアのうちの１つ以上、またはそれらの組み合わせによって実行可能なコンピュータプログラムによって実施することができる。
【００９７】
［００１０８］図６は、端末装置、例えば、ユーザ機器（ＵＥ）において／として具現化されうる装置６００の簡略化されたブロック図を示す。図６に示すように、装置６００は、ＤＰなどの少なくとも１つのプロセッサ６１１と、プロセッサ６１１に結合された少なくとも１つのＭＥＭ６１２とを備える。装置６００は、プロセッサ６１１に結合された適切なＴＸ／ＲＸ６１３を、さらに備えることができる。ＭＥＭ６１２は、ＰＲＯＧ６１４を記憶している。ＰＲＯＧ６１４は、関連するプロセッサ６１１上で実行されると、装置６００に、ランダムアクセスをトリガするための第１のメッセージであって、ランダムアクセスのための２つの候補ＵＬ搬送波のうちの第１のＵＬ搬送波を指示する第１のメッセージを基地局から受信することと、第１のメッセージに基づいて第１のＵＬ搬送波を決定することと、基地局への第１のＵＬ搬送波上でランダムアクセス手順を開始することと、ランダムアクセスをトリガするための第２のメッセージを基地局から受信することと、基地局との２つの候補ＵＬ搬送波のうちの第２のＵＬ搬送波上でランダムアクセス手順を開始することと、を可能にさせる命令を含むことができる。少なくとも１つのプロセッサ６１１と少なくとも１つのＭＥＭ６１２との組み合わせは、本開示の様々な実施形態を実施するように適合された処理手段６１５を形成することができる。
【００９８】
［００１０９］プロセッサ６１１は、ローカル技術環境に適した任意のタイプであってよく、非限定的な例として、汎用コンピュータ、専用コンピュータ、マイクロプロセッサ、デジタル信号プロセッサＤＳＰ、およびマルチコアプロセッサアーキテクチャに基づくプロセッサのうちの１つ以上を含むことができる。
【００９９】
［００１１０］ＭＥＭ６１２は、ローカル技術環境に適した任意のタイプであってよく、非限定的な例として、半導体ベースのメモリデバイス、磁気メモリデバイスおよびシステム、光メモリデバイスおよびシステム、固定メモリおよびリムーバブルメモリなどの、任意の適切なデータ記憶技術を使用して実施することができる。
【０１００】
［００１１１］いくつかの実施形態では、装置６００は、第１のＵＬ搬送波を指示するＵＬ搬送波インジケータを第１のメッセージ内に含むように、さらに動作してもよい。
【０１０１】
［００１１２］いくつかの実施形態では、装置６００は、第１のメッセージから２つの候補ＵＬ搬送波のＵＬ情報を取得し、優先されたランダムアクセスのための第１のＵＬ搬送波として、より多くのＵＬ情報を有するＵＬ搬送波を決定するように、さらに動作してもよい。
【０１０２】
［００１１３］いくつかの実施形態では、装置６００は、第１のメッセージ内のプリアンブルインデックスを取得し、プリアンブルインデックスに対応する第１のＵＬ搬送波を決定するように、さらに動作してもよい。
【０１０３】
［００１１４］いくつかの実施形態では、装置６００は、第１のメッセージの受信タイミングを取得し、受信タイミングに基づいて第１のＵＬ搬送波を決定するように、さらに動作してもよい。
【０１０４】
［００１１５］いくつかの実施形態では、装置６００は、第１のメッセージのためのＲＮＴＩを決定し、第１のメッセージのためのＲＮＴＩに対応する第１のＵＬ搬送波を決定するように、さらに動作してもよい。
【０１０５】
［００１１６］いくつかの実施形態では、装置６００は、ＭＡＣ  ＣＥがいずれのＵＬ搬送波を対象とするかを指示するＭＡＣ  ＣＥ  ＴＡコマンドを、基地局から受信し、ＭＡＣ  ＣＥ  ＴＡコマンドに基づいてＵＬ搬送波を決定し、決定されたＵＬ搬送波のためのＴＡを更新するように、さらに動作してもよい。
【０１０６】
［００１１７］いくつかの実施形態では、装置６００は、ＭＡＣ  ＣＥ  ＴＡコマンドの受信タイミングを決定し、ＭＡＣ  ＣＥ  ＴＡコマンドの受信タイミングに対応するＵＬ搬送波を決定するように、さらに動作してもよい。
【０１０７】
［００１１８］いくつかの実施形態では、装置６００は、ＭＡＣ  ＣＥ  ＴＡコマンドのためのＲＮＴＩを決定し、ＭＡＣ  ＣＥ  ＴＡコマンドのためのＲＮＴＩに対応するＵＬ搬送波を決定するように、さらに動作してもよい。
【０１０８】
［００１１９］本開示の様々な実施形態は、プロセッサ６１１、ソフトウェア、ファームウェア、ハードウェアのうちの１つ以上、またはそれらの組み合わせによって実行可能なコンピュータプログラムによって実施することができる。
【０１０９】
［００１２０］次に、基地局内の装置７００の概略ブロック図を示す図７を参照する。基地局は、例えば、ＮＲシステム内のｇＮＢであってもよい。装置７００は、図２を参照して説明した例示的な方法２００、および場合によっては任意の他のプロセスまたは方法を実行するように動作可能である。方法２００は、必ずしも装置７００によって実行される必要はないこともまた、理解されるべきである。方法２００の少なくともいくつかのステップは、１つ以上の他のエンティティによって実行することができる。
【０１１０】
［００１２１］図７に示すように、装置７００は、ランダムアクセスをトリガするための第１のメッセージであって、ランダムアクセスのための２つの候補ＵＬ搬送波のうちの第１のＵＬ搬送波を指示する第１のメッセージを、端末装置に送信し、ランダムアクセスをトリガするための第２のメッセージを端末装置に送信するように構成された送信ユニット７０１と、第１のＵＬ搬送波上の端末装置からのランダムアクセス要求に応答し、２つの候補ＵＬ搬送波のうちの第２のＵＬ搬送波上の端末装置からのランダムアクセス要求に応答するように構成された応答ユニット７０２と、を備えることができる。
【０１１１】
［００１２２］いくつかの実施形態では、送信ユニット７０２は、ＭＡＣ  ＣＥがいずれのＵＬ搬送波を対象とするかを指示するＭＡＣ  ＣＥタイミングアドバンス（ＴＡ）コマンドを端末装置に送信するように、さらに構成されてもよい。
【０１１２】
［００１２３］次に、端末装置内の装置８００の概略ブロック図を示す図８を参照する。端末装置は、無線通信が可能な任意のタイプの装置であってよく、ＵＥまたは端末と呼ばれてもよい。装置８００は、図３を参照して説明した例示的な方法３００、および場合によっては任意の他のプロセスまたは方法を実行するように動作可能である。方法３００は、必ずしも装置８００によって実行される必要はないこともまた、理解されるべきである。方法３００の少なくともいくつかのステップは、１つ以上の他のエンティティによって実行することができる。
【０１１３】
［００１２４］図８に示すように、装置８００は、ランダムアクセスをトリガするための第１のメッセージであって、ランダムアクセスのための２つの候補ＵＬ搬送波のうちの第１のＵＬ搬送波を指示する第１のメッセージを、基地局から受信し、ランダムアクセスをトリガするための第２のメッセージを基地局から受信するように構成された受信ユニット８０１と、第１のメッセージに基づいて第１のＵＬ搬送波を決定するように構成された搬送波決定ユニット８０２と、基地局への第１のＵＬ搬送波上でランダムアクセス手順を開始し、基地局との２つの候補ＵＬ搬送波のうちの第２のＵＬ搬送波上でランダムアクセス手順を開始するように構成されたランダムアクセス手順開始ユニット８０３と、を備えることができる。
【０１１４】
［００１２５］いくつかの実施形態では、受信ユニット８０１は、ＭＡＣ  ＣＥがいずれのＵＬ搬送波を対象とするかを指示するＭＡＣ  ＣＥ  ＴＡコマンドを、基地局から受信し、ＭＡＣ  ＣＥ  ＴＡコマンドに基づいてＵＬ搬送波を決定し、決定されたＵＬ搬送波のためのＴＡを更新するように、さらに構成されてもよい。
【０１１５】
［００１２６］図９を参照すると、一実施形態によれば、通信システムは、無線アクセスネットワークなどのアクセスネットワーク９１１と、コアネットワーク９１４とを備える、３ＧＰＰタイプのセルラーネットワークなどの電気通信ネットワーク９１０を含む。アクセスネットワーク９１１は、ＮＢ、ｅＮＢ、ｇＮＢ、または他のタイプの無線アクセスポイントなどの複数の基地局９１２ａ、９１２ｂ、９１２ｃを備え、それぞれが、対応するカバレッジエリア９１３ａ、９１３ｂ、９１３ｃを定義する。各基地局９１２ａ、９１２ｂ、９１２ｃは、有線または無線接続９１５を介してコアネットワーク９１４に接続可能である。カバレッジエリア９１３ｃ内に位置する第１のＵＥ９９１は、対応する基地局９１２ｃに無線で接続するか、または対応する基地局９１２ｃによって無線で呼び出されるように構成される。カバレッジエリア９１３ａ内の第２のＵＥ９９２は、対応する基地局９１２ａに無線で接続可能である。本例では複数のＵＥ９９１、９９２が図示されているが、開示された実施形態は、唯一のＵＥがカバレッジエリア内にある状況、または唯一のＵＥが対応する基地局９１２に接続している状況に、等しく適用可能である。
【０１１６】
［００１２７］電気通信ネットワーク９１０は、スタンドアロンサーバ、クラウドサーバ、分散サーバのハードウェアおよび／もしくはソフトウェアに、またはサーバファーム内の処理リソースとして具現化され得るホストコンピュータ９３０に、それ自体、接続される。ホストコンピュータ９３０は、サービスプロバイダの所有または管理下にあってもよいし、サービスプロバイダによって、またはサービスプロバイダのために操作されていてもよい。電気通信ネットワーク９１０とホストコンピュータ９３０との間の接続路９２１および９２２は、コアネットワーク９１４からホストコンピュータ９３０に直接延びてもよく、あるいは任意選択の中間ネットワーク９２０を介してもよい。中間ネットワーク９２０は、公衆、プライベートまたはホストされたネットワークのうちの１つであってもよいし、それらのうちの２つ以上の組み合わせであってもよい。中間ネットワーク９２０は、もしあれば、バックボーンネットワークまたはインターネットであってもよい。詳細には、中間ネットワーク９２０は、２つ以上のサブネットワーク（図示せず）を含んでもよい。
【０１１７】
［００１２８］図９の通信システムは、全体として、接続されたＵＥ９９１、９９２とホストコンピュータ９３０との間の接続性を可能にする。接続性は、オーバー・ザ・トップ（ＯＴＴ）接続路９５０として説明することができる。ホストコンピュータ９３０および接続されたＵＥ９９１、９９２は、アクセスネットワーク９１１、コアネットワーク９１４、任意の中間ネットワーク９２０、および可能なさらなるインフラストラクチャ（図示せず）を媒介物として使用して、ＯＴＴ接続路９５０を介してデータおよび／または信号を通信するように構成される。ＯＴＴ接続路９５０が通過する関係する通信デバイスが、アップリンク通信およびダウンリンク通信のルーティングを意識しないという意味で、ＯＴＴ接続路９５０は、トランスペアレントであり得る。例えば、基地局９１２は、接続されたＵＥ９９１に転送（例えば、ハンドオーバ）されるためにホストコンピュータ９３０から発信されたデータを有する、入って来るダウンリンク通信の過去のルーティングについて通知されなくてもよい、または通知される必要がない。同様に、基地局９１２は、ＵＥ９９１からホストコンピュータ９３０に向けて発信された、出て行くアップリンク通信の将来のルーティングを意識する必要はない。
【０１１８】
［００１２９］先の段落で論じたＵＥ、基地局、およびホストコンピュータの、一実施形態による例示的な実施態様を、図１０を参照して以下に説明する。通信システム１０００において、ホストコンピュータ１０１０は、通信システム１０００の異なる通信デバイスのインターフェースとの有線または無線接続をセットアップし維持するように構成された通信インターフェース１０１６を含むハードウェア１０１５を備える。ホストコンピュータ１０１０は、記憶および／または処理能力を有することができる処理回路１０１８を、さらに備える。詳細には、処理回路１０１８は、命令を実行するように適合された１つ以上のプログラマブルプロセッサ、特定用途向け集積回路、フィールドプログラマブルゲートアレイ、またはこれらの組み合わせ（図示せず）を含んでもよい。ホストコンピュータ１０１０は、ホストコンピュータ１０１０内に記憶され、またはホストコンピュータ１０１０によってアクセス可能であり、処理回路１０１８によって実行可能であるソフトウェア１０１１を、さらに備える。ソフトウェア１０１１は、ホストアプリケーション１０１２を含む。ホストアプリケーション１０１２は、ＵＥ１０３０およびホストコンピュータ１０１０で終端するＯＴＴ接続路１０５０を介して接続するＵＥ１０３０などのリモートユーザにサービスを提供するように動作可能であり得る。サービスをリモートユーザに提供する際に、ホストアプリケーション１０１２は、ＯＴＴ接続路１０５０を使用して送信されるユーザデータを提供することができる。
【０１１９】
［００１３０］通信システム１０００は、電気通信システムに設けられ、ホストコンピュータ１０１０およびＵＥ１０３０と通信することを可能にするハードウェア１０２５を備える基地局１０２０を、さらに含む。ハードウェア１０２５は、通信システム１０００の異なる通信デバイスのインターフェースとの有線または無線接続をセットアップし維持するための通信インターフェース１０２６と、基地局１０２０によってサービングされるカバレッジエリア（図１０に示されていない）に配置されたＵＥ１０３０との少なくとも無線接続１０７０をセットアップし維持するための無線インターフェース１０２７とを、含むことができる。通信インターフェース１０２６は、ホストコンピュータ１０１０への接続１０６０を容易にするように構成されてもよい。接続１０６０は、直接であってもよいし、電気通信システムのコアネットワーク（図１０には示されていない）を通過しても、および／または電気通信システムの外部の１つ以上の中間ネットワークを通過してもよい。図示の実施形態では、基地局１０２０のハードウェア１０２５は、命令を実行するように適合された１つ以上のプログラマブルプロセッサ、特定用途向け集積回路、フィールドプログラマブルゲートアレイ、またはこれらの組み合わせ（図示せず）を含むことができる処理回路１０２８を、さらに含む。基地局１０２０は、内部に記憶された、または外部接続路を介してアクセス可能なソフトウェア１０２１を、さらに有する。
【０１２０】
［００１３１］通信システム１０００は、既に言及したＵＥ１０３０を、さらに含む。そのハードウェア１０３５は、ＵＥ１０３０が現在位置するカバレッジエリアをサービングする基地局との無線接続１０７０をセットアップし維持するように構成された無線インターフェース１０３７を含むことができる。ＵＥ１０３０のハードウェア１０３５は、命令を実行するように適合された１つ以上のプログラマブルプロセッサ、特定用途向け集積回路、フィールドプログラマブルゲートアレイ、またはこれらの組み合わせ（図示せず）を含むことができる処理回路１０３８を、さらに含む。ＵＥ１０３０は、ＵＥ１０３０内に記憶されるか、またはＵＥ１０３０によってアクセス可能であり、処理回路１０３８によって実行可能であるソフトウェア１０３１を、さらに備える。ソフトウェア１０３１は、クライアントアプリケーション１０３２を含む。クライアントアプリケーション１０３２は、ホストコンピュータ１０１０のサポートにより、ＵＥ１０３０を介して人間または非人間のユーザにサービスを提供するように動作可能であり得る。ホストコンピュータ１０１０において、実行中のホストアプリケーション１０１２は、ＵＥ１０３０およびホストコンピュータ１０１０で終端するＯＴＴ接続路１０５０を介して、実行中のクライアントアプリケーション１０３２と通信することができる。サービスをユーザに提供する際に、クライアントアプリケーション１０３２は、ホストアプリケーション１０１２から要求データを受信し、要求データに応答してユーザデータを提供することができる。ＯＴＴ接続路１０５０は、要求データとユーザデータの両方を転送することができる。クライアントアプリケーション１０３２は、ユーザと対話して、それが提供するユーザデータを生成することができる。
【０１２１】
［００１３２］図１０に示されるホストコンピュータ１０１０、基地局１０２０、およびＵＥ１０３０は、それぞれ、図９のホストコンピュータ９３０、基地局９１２ａ、９１２ｂ、９１２ｃのうちの１つ、およびＵＥ９９１、９９２のうちの１つと類似または同一であり得ることに留意されたい。すなわち、これらのエンティティの内部動作は、図１０に示されるようなものであってもよく、それとは独立に、周囲のネットワークトポロジは、図９のものであってもよい。
【０１２２】
［００１３３］図１０では、ＯＴＴ接続路１０５０を抽象的に描いて、基地局１０２０を介したホストコンピュータ１０１０とＵＥ１０３０との間の通信を示しているが、いかなる中間デバイスも、これらのデバイスを経由したメッセージの正確なルーティングも明示的に参照していない。ネットワークインフラストラクチャが、ルーティングを決定することができ、ネットワークインフラストラクチャは、ＵＥ１０３０から、またはホストコンピュータ１０１０を操作するサービスプロバイダから、またはその両方からルーティングが見えないようにするように、構成されていてもよい。ＯＴＴ接続路１０５０がアクティブである間、ネットワークインフラストラクチャは、（例えば、負荷分散の考慮またはネットワークの再構成に基づいて）ルーティングを動的に変更する決定を、さらに行うことができる。
【０１２３】
［００１３４］ＵＥ１０３０と基地局１０２０との間の無線接続１０７０は、本開示全体にわたって説明される実施形態の教示に従う。様々な実施形態のうちの１つ以上が、無線接続１０７０が最後のセグメントを形成するＯＴＴ接続路１０５０を使用してＵＥ１０３０に提供されるＯＴＴサービスのパフォーマンスを改善する。より正確には、これらの実施形態の教示は、ＳＵＬを使用することによってＮＲのＵＬカバレッジを改善することができ、それによって、より良好なユーザ体験などの利点を提供することができる。
【０１２４】
［００１３５］１つ以上の実施形態が改善するデータレート、レイテンシ、および他の要因を監視する目的の測定手順が提供されてもよい。さらに、測定結果の変動に応答して、ホストコンピュータ１０１０とＵＥ１０３０との間のＯＴＴ接続路１０５０を再構成するための任意選択のネットワーク機能があってもよい。測定手順および／またはＯＴＴ接続路１０５０を再構成するためのネットワーク機能は、ホストコンピュータ１０１０のソフトウェア１０１１およびハードウェア１０１５で、またはＵＥ１０３０のソフトウェア１０３１およびハードウェア１０３５で、またはその両方で実施されてもよい。実施形態では、センサ（図示せず）が、ＯＴＴ接続路１０５０が通過する通信デバイスに、またはそれに関連して配備されてもよく、センサは、上で例示された監視量の値を供給することによって、またはソフトウェア１０１１、１０３１がそこから監視量を計算または推定することができる他の物理量の値を供給することによって、測定手順に関与してもよい。ＯＴＴ接続路１０５０の再構成は、メッセージフォーマット、再送信設定、好ましいルーティングなどを含んでもよく、再構成は、基地局１０２０に影響を及ぼす必要はなく、基地局１０２０に知られないか、または感知できなくてもよい。このような手順および機能は、当技術分野で既知であり、実施されていてもよい。特定の実施形態では、測定は、スループット、伝搬時間、レイテンシなどのホストコンピュータ１０１０の測定を容易にする独自のＵＥシグナリングを含んでもよい。測定は、伝搬時間、エラーなどを監視している間、ソフトウェア１０１１および１０３１が、ＯＴＴ接続路１０５０を使用して、メッセージ、詳細には空または「ダミー」メッセージを送信させることによって、実施されてもよい。
【０１２５】
［００１３６］図１１は、一実施形態による、通信システムにおいて実施される方法を示すフローチャートである。通信システムは、図９および図１０を参照して説明したものであり得るホストコンピュータ、基地局、およびＵＥを含む。本開示を簡単にするために、図１１への図面参照のみが、このセクションに含まれる。ステップ１１１０（任意選択であってもよい）において、ＵＥは、ホストコンピュータによって提供された入力データを受信する。追加的に、または代替的に、ステップ１１２０において、ＵＥは、ユーザデータを用意する。ステップ１１２０のサブステップ１１２１（任意選択であってもよい）において、ＵＥは、クライアントアプリケーションを実行することによって、ユーザデータを用意する。ステップ１１１０のサブステップ１１１１（任意選択であってもよい）において、ＵＥは、ホストコンピュータによって提供された受信入力データに応答して、ユーザデータを用意するクライアントアプリケーションを実行する。ユーザデータを用意する際に、実行されたクライアントアプリケーションは、ユーザから受け取ったユーザ入力を、さらに考慮してもよい。ユーザデータが用意された特定の方法にかかわらず、ＵＥは、サブステップ１１３０（任意選択であってもよい）において、ホストコンピュータへのユーザデータの送信を開始する。本方法のステップ１１４０において、ホストコンピュータは、本開示全体にわたって説明される実施形態の教示に従って、ＵＥから送信されたユーザデータを受信する。
【０１２６】
［００１３７］図１２は、一実施形態による、通信システムにおいて実施される方法を示すフローチャートである。通信システムは、図９および図１０を参照して説明したものであり得るホストコンピュータ、基地局、およびＵＥを含む。本開示を簡単にするために、図１２への図面参照のみが、このセクションに含まれる。ステップ１２１０（任意選択であってもよい）において、本開示全体にわたって説明される実施形態の教示に従って、基地局は、ＵＥからユーザデータを受信する。ステップ１２２０（任意選択であってもよい）において、基地局は、受信したユーザデータのホストコンピュータへの送信を開始する。ステップ１２３０（任意選択であってもよい）において、ホストコンピュータは、基地局によって開始された送信において運ばれるユーザデータを受信する。
【０１２７】
［００１３８］本明細書で開示される任意の適切なステップ、方法、特徴、機能、または利点は、１つ以上の仮想装置の１つ以上の機能ユニットまたはモジュールを介して実行され得る。各仮想装置は、いくつかのこれらの機能ユニットを備えることができる。これらの機能ユニットは、１つ以上のマイクロプロセッサまたはマイクロコントローラを含むことができる処理回路、ならびにデジタル信号プロセッサ（ＤＳＰ）、専用デジタル論理などを含むことができる他のデジタルハードウェアを介して実施されてもよい。処理回路は、読み出し専用メモリ（ＲＯＭ）、ランダムアクセスメモリ（ＲＡＭ）、キャッシュメモリ、フラッシュメモリデバイス、光記憶デバイスなどの１つまたはいくつかのタイプのメモリを含むことができるメモリに格納されたプログラムコードを実行するように、構成することができる。メモリに格納されたプログラムコードは、１つ以上の電気通信および／またはデータ通信プロトコルを実行するためのプログラム命令、ならびに本明細書で説明される技法のうちの１つ以上を実行するための命令を含む。いくつかの実施態様では、処理回路は、本開示の１つ以上の実施形態に従って、それぞれの機能ユニットに、対応する機能を実行させるために、使用されてもよい。
【０１２８】
［００１３９］さらに、本開示は、上述のようなコンピュータプログラムを含む搬送体を提供することもでき、搬送体は、電子信号、光信号、無線信号、またはコンピュータ可読記憶媒体のうちの１つである。コンピュータ可読記憶媒体は、例えば、光コンパクトディスク、またはＲＡＭ（ランダムアクセスメモリ）、ＲＯＭ（読み出し専用メモリ）、フラッシュメモリのような電子メモリデバイス、磁気テープ、ＣＤ−ＲＯＭ、ＤＶＤ、ブルーレイディスク等であってもよい。
【０１２９】
［００１４０］本明細書で説明される技法は、一実施形態で説明される対応する装置の１つ以上の機能を実施する装置が、従来技術の手段だけでなく、その実施形態で説明される対応する装置の１つ以上の機能を実施するための手段も備えるように、様々な手段によって実施することができ、それは、各別個の機能のための別個の手段を備えてもよいし、または２つ以上の機能を実行するように構成され得る手段を備えてもよい。例えば、これらの技法は、ハードウェア（１つ以上の装置）、ファームウェア（１つ以上の装置）、ソフトウェア（１つ以上のモジュール）、またはそれらの組み合わせで実施することができる。ファームウェアまたはソフトウェアについては、本明細書に記載する機能を実行するモジュール（例えば、手順、機能など）を通して実装されてもよい。
【０１３０】
［００１４１］本明細書の例示的な実施形態は、方法および装置のブロック図およびフローチャート図を参照して上述されている。ブロック図およびフローチャート図の各ブロック、ならびにブロック図およびフローチャート図のブロックの組み合わせは、それぞれ、コンピュータプログラム命令を含む様々な手段によって実施できることを理解されたい。これらのコンピュータプログラム命令は、汎用コンピュータ、専用コンピュータ、または他のプログラマブルデータ処理装置にロードされて、コンピュータまたは他のプログラマブルデータ処理装置上で実行される命令が、１つまたは複数のフローチャートブロックで指定された機能を実施するための手段を生成するような機械を作製することができる。
【０１３１】
［００１４２］さらに、動作は特定の順序で示されているが、これは、望ましい結果を達成するために、そのような動作が、示された特定の順序で、もしくは連続的な順序で実行されること、または示された全ての動作が実行されることを必要とするものとして理解されるべきではない。特定の状況では、マルチタスクおよび並列処理が、有利であり得る。同様に、いくつかの具体的な実施態様の詳細が上記の議論に含まれているが、これらは、本明細書で説明される主題の範囲に対する限定として解釈されるべきではなく、むしろ、特定の実施形態に固有であり得る特徴の説明として解釈されるべきである。別個の実施形態の文脈で説明される特定の特徴が、単一の実施形態において組み合わせて実施されてもよい。逆に、単一の実施形態の文脈で説明される様々な特徴が、複数の実施形態で別々に、または任意の適切な部分的組み合わせで実施されてもよい。
【０１３２】
［００１４３］本明細書は、多くの具体的な実施態様の詳細を含むが、これらは、任意の実施態様または特許請求され得るものの範囲に対する限定として解釈されるべきではなく、むしろ、特定の実施態様の特定の実施形態に固有であり得る特徴の説明として解釈されるべきである。別個の実施形態の文脈で本明細書に記載される特定の特徴は、単一の実施形態において組み合わせて実施することもできる。逆に、単一の実施形態の文脈で説明される様々な特徴は、複数の実施形態で別々に、または任意の適切な部分的組み合わせで実施することもできる。さらに、特徴は、特定の組み合わせで作用するものとして上記で説明されてもよく、そのようなものとして最初に特許請求されてもよいが、特許請求された組み合わせからの１つ以上の特徴が、場合によっては、その組み合わせから削除されてもよく、特許請求された組み合わせは、部分的組み合わせまたは部分的組み合わせの変形に向けられてもよい。
【０１３３】
［００１４４］当業者には、技術が進歩するにつれて、本発明の考えを様々な方法で実施できることが明らかであろう。上述の実施形態は、本開示を限定するのではなく、説明するために与えられ、当業者が容易に理解するように、本開示の精神および範囲から逸脱することなく、修正および変形を行うことができることを理解されたい。そのような修正および変形は、本開示および添付の特許請求の範囲の範囲内にあると考えられる。本開示の保護範囲は、添付の特許請求の範囲によって画定される。
【図１】
2021503755.tif 000003
【図２】
2021503755.tif 000004
【図３】
2021503755.tif 000005
【図４】
2021503755.tif 000006
【図５】
2021503755.tif 000007
【図６】
2021503755.tif 000008
【図７】
2021503755.tif 000009
【図８】
2021503755.tif 000010
【図９】
2021503755.tif 000011
【図１０】
2021503755.tif 000012
【図１１】
2021503755.tif 000013
【図１２】
2021503755.tif 000014
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
基地局における方法であって、
ランダムアクセス手順をトリガするための第１のメッセージを端末装置に送信することであって、前記第１のメッセージが、前記ランダムアクセス手順のための第１のアップリンク（ＵＬ）搬送波を指示し、前記第１のＵＬ搬送波が、前記基地局によってサービングされるセルに関して前記端末装置に設定された少なくとも２つの候補ＵＬ搬送波のうちの１つであり、前記少なくとも２つの候補ＵＬ搬送波が、通常のＵＬ搬送波および補助ＵＬ搬送波を含む、第１のメッセージを送信することと、
前記第１のＵＬ搬送波上で前記端末装置からランダムアクセス要求を受信することと、
を含む方法。
【請求項２】
前記第１のメッセージが、無線リソース制御（ＲＲＣ）メッセージ、物理ダウンリンク制御チャネル（ＰＤＣＣＨ）オーダ、およびＭＡＣ制御要素（ＣＥ）のうちの１つである、請求項１に記載の方法。
【請求項３】
前記第１のメッセージが、前記第１のＵＬ搬送波を指示するＵＬ搬送波インジケータを含む、請求項１または２に記載の方法。
【請求項４】
前記第１のメッセージが、前記ＵＬ搬送波インジケータを運ぶＵＬ搬送波インジケータフィールドを含むＰＤＣＣＨオーダであり、前記ＵＬ搬送波インジケータが、ＵＬ搬送波インデックスまたはプリアンブルインデックスである、請求項３に記載の方法。
【請求項５】
前記ＵＬ搬送波インジケータがプリアンブルインデックスである場合、前記方法が、
前記第１のメッセージを送信する前に、ＰＤＣＣＨオーダで使用されるプリアンブルインデックスと前記少なくとも２つの候補ＵＬ搬送波との間の第１のマッピングを前記端末装置に送信することを、さらに含む、請求項４に記載の方法。
【請求項６】
前記ＵＬ搬送波インジケータが、前記第１のメッセージでスクランブルされた無線ネットワーク一時識別子（ＲＮＴＩ）であり、
前記方法が、
前記第１のメッセージを送信する前に、ＲＮＴＩと前記少なくとも２つの候補ＵＬ搬送波との間の第４のマッピングを前記端末装置に送信することを、さらに含む、請求項３に記載の方法。
【請求項７】
前記方法が、ランダムアクセス手順をトリガするための第２のメッセージを前記端末装置に送信することをさらに含み、前記第２のメッセージが、トリガされる前記ランダムアクセスのための第２のＵＬ搬送波を指示し、前記第２のＵＬ搬送波が、前記第１のＵＬ搬送波を除く前記少なくとも２つの候補ＵＬ搬送波のうちの１つである、請求項１から６のいずれか一項に記載の方法。
【請求項８】
前記第２のメッセージが、ＰＤＣＣＨオーダまたはＭＡＣ  ＣＥである、請求項７に記載の方法。
【請求項９】
端末装置における方法（３００）であって、
ランダムアクセス手順をトリガするための第１のメッセージを基地局から受信することであって、前記第１のメッセージが、前記ランダムアクセス手順のための第１のＵＬ搬送波を指示し、前記第１のＵＬ搬送波が、前記基地局によってサービングされるセルに関して前記端末装置に設定された少なくとも２つの候補ＵＬ搬送波のうちの１つであり、前記少なくとも２つの候補ＵＬ搬送波が、通常のＵＬ搬送波および補助ＵＬ搬送波を含む、第１のメッセージを受信することと、
前記第１のメッセージに基づいて前記第１のＵＬ搬送波を決定することと、
前記第１のＵＬ搬送波上で前記基地局にランダムアクセス要求を送信することと、
を含む方法（３００）。
【請求項１０】
前記第１のメッセージが、ＲＲＣメッセージ、ＰＤＣＣＨオーダ、およびＭＡＣ  ＣＥのうちの１つである、請求項９に記載の方法。
【請求項１１】
前記第１のメッセージが、前記第１のＵＬ搬送波を指示するＵＬ搬送波インジケータを含む、請求項９または１０に記載の方法。
【請求項１２】
前記第１のメッセージが、前記ＵＬ搬送波インジケータを運ぶＵＬ搬送波インジケータフィールドを含むＰＤＣＣＨオーダであり、前記ＵＬ搬送波インジケータが、ＵＬ搬送波インデックスまたはプリアンブルインデックスであり、
前記第１のメッセージに基づいて前記第１のＵＬ搬送波を決定することが、
前記ＵＬ搬送波インジケータを取得することと、前記ＵＬ搬送波インジケータに従って前記ＵＬ搬送波を決定することと、を含む、請求項１１に記載の方法。
【請求項１３】
前記第１のメッセージを受信する前に、前記基地局から、ＰＤＣＣＨオーダで使用されるＵＬ搬送波インデックスまたはプリアンブルインデックスと前記少なくとも２つの候補ＵＬ搬送波との間の第１のマッピングを受信することをさらに含む、請求項１２に記載の方法（３００）。
【請求項１４】
前記ＵＬ搬送波インジケータが、前記第１のメッセージでスクランブルされたＲＮＴＩであり、
前記第１のメッセージに基づいて前記第１のＵＬ搬送波を決定することが、
前記第１のメッセージをデスクランブルして、前記ＲＮＴＩを取得することと、
ＲＮＴＩと前記少なくとも２つの候補ＵＬ搬送波との間のマッピングに基づいて、前記ＲＮＴＩに対応する前記第１のＵＬ搬送波を決定することと、
を含む、請求項１１に記載の方法（３００）。
【請求項１５】
ランダムアクセス手順をトリガするための第２のメッセージであって、トリガされる前記ランダムアクセスのための第２のＵＬ搬送波を指示する第２のメッセージを、前記基地局から受信することと、
前記第１のＵＬ搬送波を除く前記少なくとも２つの候補ＵＬ搬送波のうちの１つである前記第２のＵＬ搬送波を、前記第２のメッセージに基づいて決定することと、
前記第２のＵＬ搬送波上で前記基地局にランダムアクセス要求を送信することと、
をさらに含む、請求項９から１４のいずれか一項に記載の方法。
【請求項１６】
基地局内の装置（５００）であって、
プロセッサ（５１１）、および
メモリ（５１２）を備え、前記メモリが、前記プロセッサによって実行可能な命令を含み、それによって、前記装置が、請求項１から８のいずれか一項に記載の方法を実行するように動作する、装置（５００）。
【請求項１７】
端末装置内の装置（６００）であって、
プロセッサ（６１１）、および
メモリ（６１２）を備え、前記メモリが、前記プロセッサによって実行可能な命令を含み、それによって、前記装置が、請求項９から１５のいずれか一項に記載の方法を実行するように動作する、装置（６００）。
【国際調査報告】
2021503755.tif 000015
2021503755.tif 000016
2021503755.tif 000017